(57)【要約】【課題】錠前機能と戸開き防止機能を兼ね備えた間仕切り錠を提供する。【解決手段】頭部１１に磁石１２が埋設された移動回転掛け金具６を本体フロント２から出没可能に本体ケース３内に収納した錠本体１と、前記磁石１２と吸着する磁性体４０が内装され前記頭部１１を受け入れる受けケース３５と、を有して成り、閉戸状態において、前記磁石１２と前記磁性体４０との吸着力により前記移動回転掛け金具６が前記本体ケース３から引き出されて前記頭部１１が前記受けケース３５内に挿脱可能に吸着すると共に、前記移動回転掛け金具６を回転させることにより前記頭部１１が前記受けケース３５に掛かり外れして施解錠を可能とした。【選択図】　　　図１
2004137736.tif 000002
【特許請求の範囲】
【請求項１】
頭部に磁石が埋設された移動回転掛け金具を本体フロントから出没可能に本体ケース内に収納した錠本体と、前記磁石と吸着する磁性体が内装され前記頭部を受け入れる受けケースと、を有して成り、閉戸状態において、前記磁石と前記磁性体との吸着力により前記移動回転掛け金具が前記本体ケースから引き出されて前記頭部が前記受けケース内に挿脱可能に吸着すると共に、前記移動回転掛け金具を回転させることにより前記頭部が前記受けケースに掛かり外れして施解錠を可能としたことを特徴とする間仕切り錠。
【請求項２】
前記移動回転掛け金具には、サムターンの回動により回転する角軸が軸方向摺動可能に挿入されていることを特徴とする請求項１記載の間仕切り錠。
【請求項３】
前記移動回転掛け金具の頭部には、前記受けケースのケースフロント裏面に掛止可能な掛止突起が突設されていることを特徴とする請求項１又は請求項２記載の間仕切り錠。
【請求項４】
受けケース内にヨークを設けた磁石を内装すると共に、前記磁石を前後方向へスライド調整可能としたことを特徴とする請求項１、２又は３記載の間仕切り錠。
【発明の詳細な説明】
【０００１】
【産業上の利用分野】
本発明は、建物の内部を間仕切りする引戸や引き違い戸に使用される間仕切り錠に関するものである。
【０００２】
【従来の技術】
家庭のトイレや浴室、個室など、建物の内部を間仕切りする引戸や引き違い戸は、施錠する必要があったり、その必要がなかったりすることから、一般的には高度な安全性を保証する玄関錠のような錠前は必要とされていないが、簡易にできる施解錠や不用意な戸開きを防止することが求められている。
【０００３】
これに対応して、従来より、引戸に施錠が必要な場合には、鎌錠などのようにサムターンを使って簡単に施解錠間仕切りができる錠前が取り付けられ、また、施錠は必要としないが不用意な戸開きや閉戸時の荒閉めによる跳ね返りを防止したい場合には、例えば、特開２０００−２４８８１１号公報に開示されているように、磁石の吸着力によって閉戸状態を維持するマグネットキャッチャーが取り付けられている。
【０００４】
【発明が解決しようとする課題】
引戸に取り付けられる従来の鎌錠は、ハンドルやサムターンを回して鎌金具を受けケースに掛けて施錠し、施錠をしないときは鎌金具を本体ケース内に収納したまま引戸の開閉ができる簡便な錠前であるが、施錠してない状態では、引戸の不用意な戸開きや、閉戸時の荒閉めによる戸の跳ね返りを防止することができない。
【０００５】
また、引戸に取り付けられる従来のマグネットキャッチャーは、戸の跳ね返りを防止し、閉戸状態を維持することはできるが、錠前機能は有していない。
【０００６】
従って、鎌錠のような錠前機能とマグネットキャッチャーのような戸開き防止機能を引戸に付与するには、錠前とマグネットキャッチャーを個別に取り付けなければならず、手間がかかるうえに経済的負担も大きかった。
【０００７】
本発明は、上記の問題に鑑みてなされたもので、建物の内部を間仕切りする引戸や引き違い戸に取り付けられる錠前機能と戸開き防止機能を兼ね備えた間仕切り錠を提供することにある。
【０００８】
【課題を解決するための手段】
上記の問題を解決する為に、本発明は、頭部に磁石が埋設された移動回転掛け金具を本体フロントから出没可能に本体ケース内に収納した錠本体と、前記磁石と吸着する磁性体が内装され前記頭部を受け入れる受けケースと、を有して成り、閉戸状態において、前記磁石と前記磁性体との吸着力により前記移動回転掛け金具が前記本体ケースから引き出されて前記頭部が前記受けケース内に挿脱可能に吸着すると共に、前記頭部を回転させることにより前記頭部が前記受けケースに掛り外れして施解錠を可能としたことを特徴としており、閉戸時において、施錠を必要としないときは、そのままの状態でマグネットキャッチャーとして不用意な戸開きを防止し、施錠を必要とするときは、移動回転掛け金具を回転させて施解錠できるようにした。
【０００９】
また、移動回転掛け金具には、サムターンの回動により回転する角軸が軸方向摺動可能に挿入されており、サムターンの操作により吸着状態の移動回転掛け金具を回転して施解錠できるようにした。
【００１０】
また、移動回転掛け金具の頭部には、受けケースのケースフロント裏面に掛止可能な掛止突起が突設されており、受けケースと吸着状態にある移動回転掛け金具を回転させることにより前記掛止突起がケースフロントの裏面に掛かり外れするようにした。
【００１１】
また、受けケース内にヨークを設けた磁石を内装すると共に、前記磁石を前後方向へスライド調整可能としてもよい。
【００１２】
【発明の実施の形態】
以下、本発明の好適な実施の形態を図面を参照しながら詳細に説明する。
【００１３】
図１乃至図９は、本発明の間仕切り錠の実施の形態を示しており、引戸４５が建てつけられる枠体４６との当接面に本体フロント２を露出して引戸４５に埋設された錠本体１と、該錠本体１に対応して引戸４５との当接面にケースフロント３６を露出して枠体４６に埋設された受けケース３５とから構成されている。
【００１４】
符号３は、錠本体１の外殻体であるチューブラケースであり、該本体ケース３の前端には上下にフェースプレート３ａが一体に形成され、該フェースプレート３ａには本体フロント２が組み付けられている。本体ケース３は、本体フロント２及びフェースプレート３ａに同軸に穿設された取り付け孔４を挿通するビス５によって引戸４５に固定されている。
【００１５】
本体ケース３内の前半部には、移動回転掛け金具６が本体フロント２の開口１４から出没可能に収納されており、本体ケース３内の後半部には、移動回転掛け金具６を回動させて施解錠する為の作動機構が組み込まれている。
【００１６】
前記移動回転掛け金具６は、後端にフランジ８が形成された筒状のハウジング部９と、該ハウジング部９よりも径大な頭部１１とから成り、ハウジング部９には後端に開口する角孔７が形成されており、頭部１１内にはヨーク１２ａがビス１０で固定されていると共に磁石１２が頭部１１の前面と面一に固着されている。
【００１７】
また、頭部１１の外周面には、上下方向へ一対の掛止突起１３、１３が突設されており、該掛止突起１３、１３は、図４に示すように、本体フロント２における開口１４の上下方向へ設けたガイド溝１４ａ、１４ａに嵌合している。従って、本体ケース３内に収納状態にある移動回転掛け金具６は回転不能となっている。
【００１８】
また、移動回転掛け金具６は、フランジ８と本体ケース３内前方の突起１５とに係止する開きコイルばね１６によって本体ケース３内に引き込まれた状態に収納されていると共に、ハウジング部９の角孔７には、本体ケース３内中央部の仕切壁１７を介して第１傘歯車１８から突出する角軸１９が軸方向摺動可能に挿入されており、角軸１９に摺動して前後方向へ移動可能となっている。
【００１９】
移動回転掛け金具６を回動させる為の作動機構について説明すると、引戸４５及び本体ケース３を角芯２１が幅方向に挿通しており、角芯２１の一端には、引戸４５の外側にビス止めされたサムターン裏座２２を介してサムターン２３が取り付けられ、核芯２１の他端には、表示窓２４を有し引戸４５の外側にビス止めされたサムターン表座２５を介してサムターンこま２６が取り付けられている。尚、符号２４ａは、サムターンの作動による施解錠の状態をサムターン表座２５の表示窓２４に色変わりで示す表示プレートである。
【００２０】
また、図２に示すように、本体ケース３内における角芯２１のサムターン２３寄りには、第１傘歯車１８と噛み合う第２傘歯車２０が軸着され、本体ケース３内における角芯２１のサムターンこま２６寄りには、梃子部材２７が固着されており、サムターン２３により角芯２１を回転させると、第２傘歯車２０、梃子部材２７、前記表示プレート２４ａが同時に回転する。
【００２１】
また、角芯２１は、一端を本体ケース３内後端の係止突起３０に係止され他端を梃子部材２７に係止されたスプリング２９によってその回転が付勢されていると共に梃子部材２７が当接する本体ケース３の規制壁２８、２８によってその回転量が規制されている。そして、サムターン２３を９０°回すと、角芯２１の回転により傘歯車２０、１８を介して角軸１９が９０°回転し、従って、移動回転掛け金具６も９０°回転するように設定されている。
【００２２】
一方、受けケース３５の前端にも上下にフェースプレート３５ａが一体に形成されており、該フェースプレート３５ａにも縦長楕円の開口４１を有するケースフロント３６が組み付けられている。受けケース３５は、ケースフロント３６及びフェースプレート３５ａに同軸に穿設された取り付け３７を挿通するビス３８によって枠体４６に固定されている。
【００２３】
受けケース３５内の中央部には筒部３８が一体に形成されており、該筒部３８内には裏蓋３９で支持された磁性体４０が固着されている。尚、磁性体４０は、移動回転掛け金具６の磁石１２と反対極の磁石も含むことは言うまでもない。
【００２４】
ケースフロント３６の開口４１における縦幅の寸法Ｔは、移動回転掛け金具６の頭部１１における突起１３の先端からもう一方の突起１３の先端の距離Ｋよりも大きく設定され、また、ケースフロント３６の開口４１における横幅の寸法Ｈは、前記移動回転掛け金具６の頭部１１における突起の距離Ｋよりも小さく設定されている。
【００２５】
従って、受けケース３５は、移動回転掛け金具６が本体ケース３から引き出されたままの状態であるとき、その頭部１１を内部に受け入れが可能にして挿脱可能に吸着することができる。頭部１１が受けケース３５内において吸着した状態で移動回転掛け金具６を９０°回転させると、頭部１１の垂直状態にある掛止突起１３、１３が水平状態となってケースフロント３６の裏面に掛る位置にセットされ、施錠状態となる。
【００２６】
次に、本実施の形態の作動について説明する。引戸４５を閉めることにより、引戸４５が枠体４６に接近すると、錠本体１の磁石１２と受けケース３５の磁性体４０とによる吸着力が働き、図８に示すように、移動回転掛け金具６は開きコイルばね１６のバネ圧に抗して角軸１９に摺動しながらケース本体３から引き出され、その頭部１１が本体フロント２のガイド溝１４ａ、１４ａに案内されながら受けケース３５内に没入して挿脱可能な状態に吸着する。
【００２７】
施錠を必要としないときは、そのままの状態でマグネットキャッチャーとして機能する。即ち、磁石１２による吸着力と開きコイルばね１６の力で荒閉めされた引戸４５を枠体４６に引き寄せ、跳ね返りを防止すると共に閉戸状態にある引戸４５の不用意な戸開きを防止し、閉状態を維持する。
【００２８】
また、引戸４５を開くときは、引戸４５の初動において開きコイルばね１６が収縮して引戸４５の動きに慣性が伴うので、磁石１２の吸着力を容易に振り切って開放することができる。また、引戸４５が開放されると、移動回転掛け金具６は開きコイルばね１６によって本体ケース３内に引き込まれるので邪魔になることがない。
【００２９】
施錠するときは、サムターン裏座２２の垂直位置にあるサムターン２３を９０°回転して水平位置２３ａにする。この操作により、角芯２１が回転し、これに伴って表示プレート２４ａも回転して表座２５の表示窓２４の表示色が色変わりする共に、傘歯車２０、１８を介して角軸１９も９０°回転することから、受けケース３５と吸着状態にある移動回転掛け金具６も９０°回転する。従って、図９に示すように、受けケース３５内で垂直状態にあった頭部１１の掛止突起１３、１３が水平状態にセットされて施錠状態となる。
【００３０】
解錠するときは、水平位置にあるサムターン２３を垂直位置に戻せばよい。また、サムターン２３を使って施解錠するときには、回転量が規制されている角芯２１に梃子部材２７を介してスプリング２９による付勢力が働くことから、サムターン２３の回転の操作に付勢感が伴い、サムターン２３の回転と共に移動回転掛け金具６も小気味よく回転して施解錠の位置が正確に決まる。
【００３１】
図１０は、別の受けケース３５の例を示しており、受けケース３５内の磁性体に代わって移動回転掛け金具６の磁石１２と反対極の磁石４０ａを使用し、該磁石４０ａの表面にヨーク４２を設けスライドハウジング４３に埋設すると共に、調整ネジ４４を用いて前後方向へスライド調整可能としてある。
【００３２】
上記の構成とすることにより、吸着力が増強されると共に、ヨーク４２により磁石１２、４０ａの中心同士に集中する吸着力が拡散されて移動回転掛け金具６の磁石１２と受けケース３５の磁石４０ａが互いに中心を外れて吸着することが可能であり、吸着面を広く利用することができる。また、調整ネジ４４を回して、受けケース３５側の磁石４０ａを移動回転掛け金具６の磁石１２と吸着はするが当接はしない位置に調整し、吸着する時の衝撃音を発生させないことも可能である。
【００３３】
【発明の効果】
本発明は、以上説明したような形態で実施され、以下に記載されるような効果を奏する。
【００３４】
従来、引戸に錠前とマグネットキャッチャーを個別に取り付けていたのに対し、錠前機能と磁石による戸開き防止機能とを兼ね備えた間仕切り錠としたので、取り付け作業時間も短縮され、経済的にも有利である。
【００３５】
また、従来周知の鎌錠を作動させる感覚でサムターンを使って簡単に施解錠できるので、利用者が違和感なく使用することができる。
【００３６】
また、受けケース内に表面にヨークを設けた磁石を使用することにより、吸着力を増強させ且つ吸着面を広く利用できると共に、前記磁石を前後方向へスライド調整することにより、吸着する時の衝撃音を発生させなくすることも可能である。
【図面の簡単な説明】
【図１】本発明の間仕切り錠の好ましい実施の形態を示す従断面図。
【図２】図１のＡーＡ矢視方向を示す横断面図。
【図３】図２におけるＢーＢ矢視方向を示す縦断面図。
【図４】図１の間仕切り錠における錠本体の正面図。
【図５】図１の間仕切り錠における錠本体に使用されているサムターン表座を示す側面図。
【図６】図１の間仕切り錠における錠本体に使用されているサムターン裏座を示す側面図。
【図７】図１の間仕切り錠における受けケースの正面図。
【図８】図１の間仕切り錠の作動状態（マグネットの吸着）を示す断面図。
【図９】図１の間仕切り錠の作動状態（施錠状態）を示す断面図。
【図１０】本発明の間仕切り錠における別の受けケースを示す断面図。
【符号の説明】
１　錠本体，２　本体フロント，３　本体ケース，６　移動回転掛け金具，１１　頭部，１２　磁石，１３　掛止突起，１８　第１傘歯車，１９　角軸，２０第２傘歯車，２３　サムターン，３６　受けケース，４０　磁性体，４０ａ　磁石，４２　ヨーク，
【図１】
2004137736.tif 000003
【図２】
2004137736.tif 000004
【図３】
2004137736.tif 000005
【図４】
2004137736.tif 000006
【図５】
2004137736.tif 000007
【図６】
2004137736.tif 000008
【図７】
2004137736.tif 000009
【図８】
2004137736.tif 000010
【図９】
2004137736.tif 000011
【図１０】
2004137736.tif 000012